(57)【要約】【課題】撮影時の利便性を向上させ、且つ装置のコストダウンを実現させる。【解決手段】デジタルカメラ２の前面側ＬＣＤ１１を、撮影時の照明用光源として用いる。動画撮影モードが選択された場合、あるいは、静止画撮影モードが選択され、測光・測距回路４６により測光された被写体の輝度が、予め設定された閾値以下であった場合に、表示制御回路４７が駆動して前面側ＬＣＤ１１のバックライト４８を点灯させ、前面側ＬＣＤ１１の表示画面全体に白画像を表示させる。【選択図】        図５
2004349843.tif 000002
【特許請求の範囲】
【請求項１】
画像を表示する画像表示手段が前面と背面とに設けられた撮影装置において、
前面側の画像表示手段を撮影時の照明用光源として用いるために、その表示画面全体に白画像を表示させる表示制御手段を備えたことを特徴とする撮影装置。
【請求項２】
撮影する被写体の輝度を測光する測光手段を設けるとともに、
前記表示制御手段は、前記測光手段の測光結果に応じて、前面側の画像表示手段を照明用光源として用いるか否かを判別することを特徴とする請求項１に記載の撮影装置。
【請求項３】
前記表示制御手段は、前記測光結果に応じて、前面側の画像表示手段の光量を調節することを特徴とする請求項１または２に記載の撮影装置。
【請求項４】
動画を撮影する動画撮影モードと、静止画を撮影する静止画撮影モードとが選択可能であるとともに、
前記表示制御手段は、選択された撮影モードに応じて前記判別を行うことを特徴とする請求項１乃至３に記載の撮影装置。
【請求項５】
所定の間隔をおいて撮影を行うセルフタイマー撮影機能を備え、
前記表示制御手段は、前記セルフタイマー撮影機能の作動時に、撮影開始のタイミングを通知する表示部として前面側の画像表示手段を駆動させることを特徴とする請求項１乃至４に記載の撮影装置。
【請求項６】
画像を表示する画像表示手段が前面と背面とに設けられた撮影装置の撮影方法において、
前面側の画像表示手段を撮影時の照明用光源として用いるために、その表示画面全体に白画像を表示させることを特徴とする撮影方法。
【請求項７】
撮影する被写体の輝度を測光し、この測光結果に応じて、前面側の画像表示手段を照明用光源として用いるか否かを判別することを特徴とする請求項６に記載の撮影方法。
【請求項８】
前記測光結果に応じて、前面側の画像表示手段の光量を調節することを特徴とする請求項６または７に記載の撮影方法。
【請求項９】
前記撮影装置は、動画を撮影する動画撮影モードと、静止画を撮影する静止画撮影モードとが選択可能であるとともに、
選択された撮影モードに応じて前記判別を行うことを特徴とする請求項６乃至８に記載の撮影方法。
【請求項１０】
前記撮影装置は、所定の間隔をおいて撮影を行うセルフタイマー撮影機能を備え、
前記セルフタイマー撮影機能の作動時に、撮影開始のタイミングを通知する表示部として前面側の画像表示手段を駆動させることを特徴とする請求項６乃至９に記載の撮影方法。
【発明の詳細な説明】
【０００１】
【発明の属する技術分野】
本発明は、画像を表示する画像表示手段が前面と背面とに設けられた撮影装置、およびその撮影方法に関する。
【０００２】
【従来の技術】
撮影装置、例えばデジタルカメラには、画像を表示する液晶表示器（ＬＣＤ）が、カメラ本体の前面と背面とに設けられたものがある。このようなデジタルカメラで、撮影者自らを撮影する自画撮りを行う際には、前面側のＬＣＤにスルー画像が表示され、撮影する被写体の確認が可能となっている。
【０００３】
一方、マクロ撮影時の照明用光源として、ＬＣＤのバックライトを利用したカメラが提案されている（特許文献１参照）。このような構成であると、アダプタなどの特別な部材を使用したり、ストロボ装置を付加することなく、既存の部品を活用して照明を行うため、装置のコストダウンを図ることができる。
【０００４】
【特許文献１】
特開２００２−１６９１９８号公報
【０００５】
【発明が解決しようとする課題】
ＬＣＤが前面と背面とに設けられたデジタルカメラでは、自画撮りを行う以外は前面側ＬＣＤの用途がないため、撮影時の利便性は向上するものの、装置のコストアップは避けられない。一方、特許文献１に記載されるカメラでは、本来は被写体のフレーミングに用いられるＬＣＤを、照明用光源として利用しているため、被写体を確認することができないという不具合が生じていた。
【０００６】
本発明は、撮影時の利便性を向上させ、且つ装置のコストダウンを実現させることができる撮影装置および方法を提供することを目的とする。
【０００７】
【課題を解決するための手段】
上記目的を達成するために、本発明は、画像を表示する画像表示手段が前面と背面とに設けられた撮影装置において、前面側の画像表示手段を撮影時の照明用光源として用いるために、その表示画面全体に白画像を表示させる表示制御手段を備えたことを特徴とする。なお、撮影する被写体の輝度を測光する測光手段を設けるとともに、前記表示制御手段は、前記測光手段の測光結果に応じて、前面側の画像表示手段を照明用光源として用いるか否かを判別することが好ましく、前記表示制御手段は、前記測光結果に応じて、前面側の画像表示手段の光量を調節することが好ましい。
【０００８】
また、動画を撮影する動画撮影モードと、静止画を撮影する静止画撮影モードとが選択可能であった場合、前記表示制御手段は、選択された撮影モードに応じて前記判別を行う。さらに、所定の間隔をおいて撮影を行うセルフタイマー撮影機能を備えていた場合、前記表示制御手段は、前記セルフタイマー撮影機能の作動時に、撮影開始のタイミングを通知する表示部として前面側の画像表示手段を駆動させる。
【０００９】
また、本発明は、画像を表示する画像表示手段が前面と背面とに設けられた撮影装置の撮影方法において、前面側の画像表示手段を撮影時の照明用光源として用いるために、その表示画面全体に白画像を表示させることを特徴とする。なお、撮影する被写体の輝度を測光し、この測光結果に応じて、前面側の画像表示手段を照明用光源として用いるか否かを判別することが好ましく、前記測光結果に応じて、前面側の画像表示手段の光量を調節することが好ましい。
【００１０】
前記撮影装置が、動画を撮影する動画撮影モードと、静止画を撮影する静止画撮影モードとが選択可能であった場合、選択された撮影モードに応じて前記判別を行う。さらに、前記撮影装置が、所定の間隔をおいて撮影を行うセルフタイマー撮影機能を備えていた場合、前記セルフタイマー撮影機能の作動時に、撮影開始のタイミングを通知する表示部として前面側の画像表示手段を駆動させる。
【００１１】
【発明の実施の形態】
図１および図２において、デジタルカメラ２の正面には、撮像レンズ１０、前面側ＬＣＤ１１、測光・測距センサ１２、およびマイクロホン１３が設けられている。デジタルカメラ２の上面には、レリーズボタン１４、電源スイッチ１５が設けられ、側面には、メモリカード４４（図４参照）が着脱自在に装填されるメモリカードスロットを覆う蓋１６が設けられている。また、デジタルカメラ２の背面には、モードダイヤル１７、セルフタイマースイッチ１８、操作部１９、および背面側ＬＣＤ２０が設けられている。
【００１２】
撮像レンズ１０の背後には、ＣＣＤ３０（図４参照）が配置されている。ＣＣＤ３０からの撮像信号は、Ａ／Ｄ変換器３１（図４参照）により、デジタルの画像データに変換される。この画像データは、前面側ＬＣＤ１１または背面側ＬＣＤ２０で、いわゆるスルー画像として表示され、これらを通して被写体画像のフレーミングが行われる。
【００１３】
レリーズボタン１４は、２段階押しのスイッチとなっている。前面側ＬＣＤ１１または背面側ＬＣＤ２０によるフレーミングの後に、レリーズボタン１４を軽く押圧すると、露光調整、撮像レンズ１０の焦点調整などの各種撮影準備処理が施される。撮影準備処理が施された撮像信号は、レリーズボタン１４を離すまでデータロックされる。そして、この状態でレリーズボタン１４をもう１度強く押圧すると、撮影準備処理が施された１画面分の撮像信号が画像データに変換された後、メモリカード４４やバッファメモリ３４（図４参照）などの記憶媒体に保存される。
【００１４】
デジタルカメラ２では、動画を撮影する動画撮影モード、静止画を撮影する静止画撮影モード、撮影した画像を背面側ＬＣＤ２０に表示する再生モード、および各種設定を行うセットアップモードなどが選択可能となっており、モードダイヤル１７を回動操作させることで、これらのモードの切替えが行われる。動画撮影モードでは、動画の撮影とともに、マイクロホン１３を介して周囲の音声が収録される。
【００１５】
デジタルカメラ２は、撮影者自らを撮影する自画撮り機能、所定の間隔をおいて撮影を行うセルフタイマー撮影機能を備えている。自画撮り機能は、操作部１９を操作するなどして、前面側ＬＣＤ１１をオンさせることにより作動する。このとき、背面側ＬＣＤ２０は自動的にオフされ、前面側ＬＣＤ１１にはスルー画像が表示される。セルフタイマー撮影機能は、セルフタイマースイッチ１８をオンさせることにより作動する。なお、自画撮り機能専用の操作部材を設け、この操作部材により各ＬＣＤ１１、２０の表示切替を行ってもよい。
【００１６】
セルフタイマー撮影機能の作動時、前面側ＬＣＤ１１には、例えば図３のフローチャートに示すように、撮影開始３秒〜１０秒前は青色の点滅表示、１秒〜３秒前は黄色の点滅表示、１秒前は赤色の点灯表示が表示される。このようにすると、撮影開始のタイミングを通知する特別な部品を用いることなく、より確実に通知することができる。なお、撮影開始のタイミングを通知する方法としては、上記に限定されず、例えば数字やキャラクターなどを表示してもよい。
【００１７】
デジタルカメラ２の電気的構成を示す図４において、撮像レンズ１０の背後には、撮像レンズ１０を透過した被写体光が入射されるＣＣＤ３０が配置されている。ＣＣＤ３０から出力された撮像信号は、図示しない相関二重サンプリング回路に入力され、ＣＣＤ３０の各セルの蓄積電荷量に正確に対応したＲ、Ｇ、Ｂの画像データとして出力される。
【００１８】
相関二重サンプリング回路から出力された画像データは、増幅器（図示せず）で増幅され、Ａ／Ｄ変換器３１でデジタルデータに変換される。また、マイクロホン１３により収録された音声は、Ａ／Ｄ変換器３２によりデジタルデータに変換される。
【００１９】
Ａ／Ｄ変換器３１から出力された画像データは、画像信号処理回路３３に送信される。画像信号処理回路３３は、階調変換、ホワイトバランス補正、γ補正処理などの各種画像処理を画像データに施す。画像処理後の画像データは、バッファメモリ３４に保存される。また、Ａ／Ｄ変換器３２から出力された音声データは、音声信号処理回路３５に送信される。音声信号処理回路３５は、ノイズ除去などの各種処理を音声データに施す。
【００２０】
ＣＰＵ３６は、システムバス３７を介して各部に接続し、デジタルカメラ２全体の動作を統括制御する。システムバス３７には、圧縮伸長処理回路３８、ＹＣ処理回路３９、ＳＤＲＡＭ４０、第１、第２ＬＣＤドライバ４１、４２が接続されている。
【００２１】
バッファメモリ３４に保存された画像データは、ＹＣ処理回路３９により輝度信号Ｙと色差信号Ｃｒ、Ｃｂとに変換される。圧縮伸長処理回路３８は、この変換された画像データに対して所定のファイル形式（例えばＪＰＥＧ形式）で画像圧縮を施す。圧縮伸長処理回路３８により圧縮された画像データは、カードＩ／Ｆ４３を介してメモリカード４４に保存される。または、第２ＬＣＤドライバ４２によりコンポジット信号に変換され、背面側ＬＣＤ２０に表示される。
【００２２】
ＣＰＵ３６には、前述のレリーズボタン１４、操作部１９の他に、ＥＥＰＲＯＭ４５、測光・測距回路４６が接続されている。ＥＥＰＲＯＭ４５には、各種制御用のプログラムや設定情報などが記録されている。ＣＰＵ３６は、これらの情報をＥＥＰＲＯＭ４５から作業用メモリであるＳＤＲＡＭ４０に読み出して各種処理を実行する。
【００２３】
測光・測距回路４６は、レリーズボタン１４の半押し時に、測光・測距センサ１２で測定された被写体の輝度および撮像レンズ１０との距離をＣＰＵ３６に送信する。ＣＰＵ３６は、この測定結果に基づいて、適正な焦点距離および露光量となるように撮像レンズ１０の各種パラメータを調整する。測光・測距回路４６は、ＣＰＵ３６からフィードバックされる調整信号を元に、撮像レンズ１０、および第１ＬＣＤドライバ４１を制御する表示制御回路４７を駆動させる。
【００２４】
デジタルカメラ２では、前面側ＬＣＤ１１を撮影時の照明用光源として用いる。すなわち、モードダイヤル１７で選択された撮影モードが動画撮影モードであった場合、あるいは、静止画撮影モードが選択され、測光・測距回路４６により測光された被写体の輝度が、予め設定された閾値以下であった場合に、表示制御回路４７が駆動して前面側ＬＣＤ１１のバックライト４８を点灯させ、前面側ＬＣＤ１１の表示画面全体に白画像を表示させる。
【００２５】
一方、静止画撮影モードで、測光された被写体の輝度が予め設定された閾値以上であった場合には、前面側ＬＣＤ１１のバックライト４８は点灯されない。なお、バックライト４８は、通常使用されるストロボ光と同程度の光を出力することが可能である。
【００２６】
次に、上記構成による作用について、図５のフローチャートを参照して説明する。まず、電源スイッチ１５が操作されてデジタルカメラ２の電源が投入され、起動処理が行われる。モードダイヤル１７が回動操作され、動画撮影モードが選択された場合には、表示制御回路４７により前面側ＬＣＤ１１のバックライト４８が点灯され、前面側ＬＣＤ１１の表示画面全体に白画像が表示される。
【００２７】
静止画撮影モードが選択された場合には、レリーズボタン１４の半押しで、測光・測距回路４６により撮影する被写体の輝度が測光される。この測光結果が予め設定された閾値以下であった場合には、動画撮影モードの場合と同様に、表示制御回路４７により前面側ＬＣＤ１１のバックライト４８が点灯され、前面側ＬＣＤ１１の表示画面全体に白画像が表示される。
【００２８】
一方、測光結果が閾値以上であった場合には、前面側ＬＣＤ１１の表示画面には白画像が表示されず、通常の撮影が行われる。これら一連の処理は、撮影終了まで繰り返し実行され、撮影が終了した時点で、前面側ＬＣＤ１１は通常の状態に戻される。このような構成であると、自画撮りを行う際には撮影する被写体を確認することができる。また、アダプタなどの特別な部材を使用したり、ストロボ装置を付加することなく、被写体の照明を行うことができる。
【００２９】
上記実施形態では、動画撮影モードが選択された場合に、無条件で前面側ＬＣＤ１１を撮影時の照明用光源として用いるようにしたが、静止画撮影モードが選択された場合と同様に、測光・測距回路４６による被写体の輝度の測光結果に応じて、バックライト４８の点灯・消灯切替を行ってもよい。また、測光結果に応じてバックライト４８の光量を調節するようにしてもよい。さらに、前面側ＬＣＤ１１を撮影時の照明用光源として用いるか否かを、ユーザーが選択可能なようにしてもよい。
【００３０】
なお、上記実施形態では、デジタルカメラ２を例示して説明したが、本発明はこれに限定されず、他の撮影装置、例えばカメラ付き携帯電話やビデオカメラについても適用することが可能である。
【００３１】
【発明の効果】
以上のように、本発明の撮影装置および方法によれば、前面側の画像表示手段を撮影時の照明用光源として用いるために、その表示画面全体に白画像を表示させるので、撮影時の利便性を向上させることが可能で、且つ装置のコストダウンを実現させることができる。
【図面の簡単な説明】
【図１】本発明を適用したデジタルカメラの正面概観斜視図である。
【図２】デジタルカメラの背面概観斜視図である。
【図３】セルフタイマー撮影機能の作動時における前面側ＬＣＤの表示態様を示すフローチャートである。
【図４】デジタルカメラの電気的構成を示すブロック図である。
【図５】撮影処理の一連の流れを示すフローチャートである。
【符号の説明】
２  デジタルカメラ
１０  撮像レンズ
１１  前面側ＬＣＤ
１２  測光・測距センサ
１４  レリーズボタン
１７  モードダイヤル
１８  セルフタイマースイッチ
１９  操作部
２０  背面側ＬＣＤ
３０  ＣＣＤ
３６  ＣＰＵ
４４  メモリカード
４６  測光・測距回路
４７  表示制御回路
４８  バックライト
【図１】
2004349843.tif 000003
【図２】
2004349843.tif 000004
【図３】
2004349843.tif 000005
【図４】
2004349843.tif 000006
【図５】
2004349843.tif 000007